(57)【要約】【課題】  同一周波数帯域において異なる通信規格が混在した状態であっても、好適にデータ通信を行うことができる通信装置を提供する。【解決手段】  データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能なＭＩＭＯ送信部３０を備え、送信すべきデータ本文と、当該データ本文を通信規格（Ａ）の形式で送信する際に必要とするデータ送信時間に関する情報を少なくとも含む通信制御信号（Ａ）と、の合計データを通信規格（Ａ）で送信した場合に必要なデータ送信時間に関する情報を含む通信制御信号（Ｂ）を作成し、通信規格（Ｂ）の形式で上記合計データのヘッダとして付加するＩＥＥＥプレアンブル生成部１２を備える。【選択図】  図１
2005333589.tif 000002
【特許請求の範囲】
【請求項１】
データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対して複数のアンテナでデータの送信が可能な送信手段を備える通信装置であって、
送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、
上記複数のアンテナに対して上記合計データの伝送速度を少なくとも１つが異なるように設定する設定手段と、
上記設定された伝送速度に応じて、各アンテナによって送信されるデータ本文のデータ量を割り当てる割当手段とを備えることを特徴とする通信装置。
【請求項２】
上記付加手段は、上記複数のアンテナで送信するデータのそれぞれに対して、上記設定手段にて設定された伝送速度を含む上記通信制御信号（Ｂ）を作成し、上記それぞれのデータに付加するものであることを特徴とする請求項１記載の通信装置。
【請求項３】
データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能な送信手段を備える通信装置であって、
送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、
通信規格（Ａ）でデータ本体を送信する際のデータの伝送速度（Ａ）を含む通信制御信号（Ａ）を作成する作成手段とを備え、
上記付加手段は、通信規格（Ｂ）でデータ本体を送信する際のデータの伝送速度（Ｂ）と、
上記データ本体を通信規格（Ａ）で送信する際にかかるデータ送信時間および合計データを通信規格（Ｂ）で送信する際にかかるデータ送信時間が同じになるように設定された仮のデータ量とを含む通信制御信号（Ｂ）を付加するものであることを特徴とする通信装置。
【請求項４】
上記送信手段は、複数のアンテナでデータの送信を行うものであり、
上記付加手段は、上記複数のアンテナで送信するデータのそれぞれに対して、上記通信制御信号（Ｂ）を作成し、各データに付加するものであることを特徴とする請求項３記載の通信装置。
【請求項５】
上記送信手段は、複数のアンテナのうち、データ伝送に用いるアンテナの本数に応じて、使用するアンテナの本数を決定する決定手段を備えており、
上記付加手段は、上記決定手段により決定されたアンテナの本数に基づいて算出されたデータ送信時間に関する情報を含む通信制御信号（Ｂ）を作成するものであることを特徴とする請求項４記載の通信装置。
【請求項６】
上記付加手段は、上記合計データのデータ量と通信規格（Ａ）の伝送速度とを含む通信制御信号（Ｂ）を作成するものであることを特徴とする請求項３記載の通信装置。
【請求項７】
データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対して複数のアンテナでデータの送信が可能な送信工程を含む送信方法であって、
送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加工程と、
上記複数のアンテナに対して上記合計データの伝送速度を少なくとも１つが異なるように設定する設定工程と、
上記設定された伝送速度に応じて、各アンテナによって送信されるデータ本文のデータ量を割り当てる割当工程とを含むことを特徴とする送信方法。
【請求項８】
データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能な送信工程を含む送信方法であって、
送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、
通信規格（Ａ）でデータ本体を送信する際のデータの伝送速度（Ａ）を含む通信制御信号（Ａ）を作成する作成工程とを含み、
上記付加工程は、通信規格（Ｂ）でデータ本体を送信する際のデータの伝送速度（Ｂ）と、上記データ本体を通信規格（Ａ）で送信する際にかかるデータ送信時間および合計データを通信規格（Ｂ）で送信する際にかかるデータ送信時間が同じになるように設定された仮のデータ量とを含む通信制御信号（Ｂ）を付加するものであることを特徴とする送信方法。
【請求項９】
請求項１〜６のいずれか一項に記載の通信装置が備える各手段をコンピュータに実行させる通信プログラム。
【請求項１０】
請求項１〜６のいずれか一項に記載の通信装置が備える各手段をコンピュータに実行させる通信プログラムを記録した記録媒体。
【発明の詳細な説明】
【技術分野】
【０００１】
本発明は、例えば無線によってパケット通信を行う通信装置および通信方法に関するものである。
【背景技術】
【０００２】
（ＯＳＩアーキテクチャ）
近年、情報通信ネットワークの利用形態がますます多様化しており、また、広域化している。これに伴って、異なるネットワークアーキテクチャを有するコンピュータシステム同士を相互接続する必要が生じている。このような異機種間通信を可能とするために、ＯＳＩ（Open Systems Interconnection）と呼ばれる標準ネットワークアーキテクチャが提案されている。
【０００３】
ＯＳＩ参照モデルは、（１）物理層、（２）データリンク層、（３）ネットワーク層、（４）トランスポート層、（５）セッション層、（６）プレゼンテーション層、（７）アプリケーション層、の７つの階層から構成されている。
【０００４】
（１）物理層は、電話線や同軸ケーブルなどの物理媒体を通信回線として使用するため、電気的、機械的および物理的条件を管理し、ビット列の伝送を保証する層である。（２）データリンク層は、隣接して通信し合うシステム間の伝送路上で発生するビット誤りを検出して回復することにより、相手システムにビット列から構成されるフレームを確実に伝送することを保証する層である。このデータリンク層は、例えばＬＬＣ（Logical Link Control）、およびＭＡＣ（Media Access Control）から構成される。
【０００５】
（３）ネットワーク層は、各種通信網を使用し、通信相手となる最終端のシステムとの通信経路を確立するための中継、ルーティング機能を管理し、最終端のシステム間のデータ伝送を保証する層である。（４）トランスポート層は、通信網の両側にある最終端のシステムで実際に通信を行っているプロセス間で、確実にデータが転送されることを保証する層である。（５）セッション層は、プロセスが必要とする情報の送り方（例えば半二重や全二重の管理、送信権の管理など）やプロセス間の同期、再同期の管理などを行う層である。
【０００６】
（６）プレゼンテーション層は、プロセス間で転送されるデータ構造（構文）を決定し、必要に応じて個々のプロセス独自のデータ構造と転送とに必要な共通データ構造との変換を行うものである。（７）アプリケーション層は、最上位の層であり、ファイルの転送、電子メール、ネットワークマネージメントなどをユーザに提供する層である。
【０００７】
以上のようなＯＳＩ参照モデルにおいて、データ送信の際には、データは第７層から第１層に流れる一方、データ受信の際には、データは第１層から第７層へと流れることになる。
【０００８】
上記のようなＯＳＩアーキテクチャを用いたデータ通信の技術としては、例えば、ＩＥＥＥ８０２．１１等の無線ＬＡＮ通信がある（非特許文献１〜４参照）。
【０００９】
また、昨今では、通信ネットワークを介してデータを伝送することに対して、より大容量のデータを高速に伝送する要求が増大しており、通信の高速化の需要が著しく高まっている。ここで、データ通信の伝送速度を上げる手法としては、例えば、上記（１）物理層の伝送速度を上げる方法が挙げられる。しかしながら、上記（１）物理層の伝送速度には、通信媒体およびプロトコルの特性に応じた限界がある。例えばＩＳＤＮ（integrated services digital network）の最高通信速度は６４Ｋｂｐｓであり、また、ＩＥＥＥ８０２．１１ａによる無線ＬＡＮにおける最高通信速度は５４Ｍｂｐｓであるので、これらの通信速度以上のデータ伝送を行うことは物理的に不可能である。
【００１０】
これに対して、データ通信の伝送速度を上げる別の方法としてマルチリンクプロトコルおよびＭＩＭＯ（Ｍｕｌｔｉｐｌｅ  Ｉｎｐｕｔ  Ｍｕｌｔｉｐｌｅ  Ｏｕｔｐｕｔ）（非特許文献５参照）が提案されている。
【００１１】
上記ＭＩＭＯは無線の（１）物理層の技術であり、ＭＩＭＯの名は、同じ周波数帯域を用いた伝送路に対して入力／出力される信号数が複数あることから由来している。ＭＩＭＯを用いたシステム例では、ＭＩＭＯ送信機がＮ本のアンテナを有し、ＭＩＭＯ受信機がＭ本のアンテナを有している。そして、ＭＩＭＯ送信機における各アンテナから送信されるＴｘ１〜ＴｘＮの信号が、ＭＩＭＯ受信機における各アンテナにおいて、Ｒｘ１〜ＲｘＭの信号として受信される。ＭＩＭＯの種類としては、ＭＩＭＯ  ｓｐａｔｉａｌ  ｄｉｖｅｒｓｉｔｙおよびＭＩＭＯ  ｓｐａｔｉａｌ  ｍｕｌｔｉｐｌｅｘｉｎｇ（ＳＭ）がある。
【非特許文献１】ＩＥＥＥ  Ｓｔｄ  ８０２．１１（１９９９／１）
【非特許文献２】ＩＥＥＥ  Ｓｔｄ  ８０２．１１ｅ  Ｄｒａｆｔ７（２００４／１）
【非特許文献３】ＩＥＥＥ  Ｓｔｄ  ８０２．１１ａ（１９９９）
【非特許文献４】ＩＥＥＥ  Ｓｔｄ  ８０２．１１ｇ（２００３／６）
【非特許文献５】Ｐ．Ｗ．Ｗｏｌｎｉａｎｓｋｙ，Ｇ．Ｊ．Ｆｏｓｃｈｉｎｉ，Ｇ．Ｄ．Ｇｏｌｄｅｎ，Ｒ．Ａ．Ｖａｌｅｎｚｕｅｌａ：“Ｖ−Ｂｌａｓｔ：Ａｎ  Ａｒｃｈｉｔｅｃｔｕｒｅ  ｆｏｒ    Ｒｅａｌｉｚｉｎｇ  Ｖｅｒｙ  Ｈｉｇｈ  Ｄａｔａ  Ｒａｔｅｓ  Ｏｖｅｒ  ｔｈｅ  Ｒｉｃｈ−Ｓｃａｔｔｅｒｉｎｇ  Ｗｉｒｅｌｅｓｓ  Ｃｈａｎｎｅｌ”，Ｐｒｏｃ．ＩＳＳＳＥ−９８，Ｐｉｓａ，Ｉｔａｌｙ，Ｓｅｐ．２９，１９９８ＡＢＬ
【非特許文献６】Ｋ．Ｋａｅｍａｒｕｎｇｓｉ、Ｐ．Ｋｒｉｓｈｎａｍｕｒｔｈｙ：“Ｏｎ  Ｕｓｅ  ｏｆ  Ａｄａｐｔｉｖｅ  ＯＦＤＭ  ｔｏ  Ｐｒｅｓｅｒｖｅ  Ｅｎｅｒｇｙ  ｉｎ  Ａｄ  Ｈｏｃ  Ｗｉｒｅｌｅｓｓ  Ｎｅｔｗｏｒｋｓ”、１３ｔｈ  ＭＰＲＧ／Ｖｉｒｇｉｎｉａ  Ｔｅｃｈ  Ｓｙｍｐｏｓｉｕｍ  ｏｎ  Ｗｉｒｅｌｅｓｓ  Ｐｅｒｓｏｎａｌ  Ｃｏｍｍｕｎｉｃａｔｉｏｎｓ、Ｊｕｎｅ、２００３
【発明の開示】
【発明が解決しようとする課題】
【００１２】
技術が進化するとともに新たな標準化が誕生する。現在の無線ＬＡＮの場合、新しい技術はＭＩＭＯである。しかしながら、例えば、データ通信を行うために利用できる周波数帯域は電波法で制限されているため、ＭＩＭＯを用いたシステムでは、従来のＩＥＥＥ８０２．１１ａ／ｇの物理層と同じ周波数帯域を使わなければならない。そして、例えば、既に規格化されているＩＥＥＥ８０２．１１ｇと同じ周波数帯域を用いてＭＩＭＯ用のデータを通信する場合には２．４ＧＨｚ帯を使用し、ＩＥＥＥ８０２．１１ａと同じ周波数帯域を用いてデータ通信を行う場合には５ＧＨｚ帯を使用することとなる。
【００１３】
ところで、１つの周波数帯域を用いて、複数の機器間でデータ通信を行う際には、データ同士が衝突することを防止するための一つの方法として、一つの機器がデータの送信を行っている間、他の機器はデータの送信を自粛することにより防止する方法がある。このデータの送信を自粛する方法としては、例えば、上記データ送信の終了時間を知るという方法がある。具体的には、上記一つの機器から送信されたデータを受信した機器は、上記データを解析して、当該データの送信終了時間を算出することでデータ送信を自粛することができる。
【００１４】
ところが、同じ周波数帯域を用いてデータ通信を行う場合、一方の通信規格のデータは、他方の通信規格しか理解できない受信機にも受信されることとなる。そして、一つの通信規格しか理解できない受信機に、この通信規格とは異なるデータを受信した場合、上記受信機は、当該データの送信終了時間を把握することができない。そして、他の機器がデータの送信中に、データを送信した場合には、データ同士が衝突する場合がある。
【００１５】
つまり、同じ周波数帯域を用いて、異なる通信規格でデータ通信を行う場合には、互いの通信規格と互換性を保つように共存させなければならない。これについて、以下に説明する。
【００１６】
図２１に、三つのアンテナを使用した場合における従来のＩＥＥＥ８０２．１１ａ／ｇとＭＩＭＯとで互換性を保つ事例を示す。上記事例では、まず最初のアンテナでショートプレアンブル（Ｓｈｏｒｔ  Ｐｒｅａｍｂｌｅ、以下、ＳＰと称する）５２００、ロングプレアンブル（Ｌｏｎｇ  Ｐｒｅａｍｂｌｅ、以下、ＬＰと称する）５２１０、Ｓｉｇｎａｌ（以下、シグナルと称する）５２２０を送る。ＳＰ５２００、ＬＰ５２１０、シグナル５２２０の形式は従来システムと同じであり、従来システムではＳＰ５２００、ＬＰ５２１０、シグナル５２２０をＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）と呼ぶ。シグナル５２２０はＭｂｐｓ単位のレート（Ｒ）、データ長（Ｌｅｎｇｔｈ）と予約領域（Ｓ）からなる。Ｓにより従来とＭＩＭＯシステムの区別を行う。従来システムでＳは０であり、ＭＩＭＯシステムではＳを１とする。図２１のＭＩＭＯシステムの場合、シグナル５２２０の次に拡張シグナル５６００、それぞれのアンテナのＭＩＭＯ  ＬＰ（５６１０、５６２０、５６３０）とＭＩＭＯ  シンボル５６４０を送る。なお、従来システムは一つのアンテナのみでＰＬＣＰを送った後にデータを送る。つまり、残りのアンテナでは、ＭＩＭＯ  ＬＰと、ＭＩＭＯ  シンボル５６４０とのみを送信している。上記ＲはＭＩＭＯ  シンボル５６４０のデータレートを示している。拡張シグナル５６００にＭＩＭＯ  シンボル５６４０のバイト数を示す情報がある。拡張シグナル５６００、ＭＩＭＯ  ＬＰ（５６１０、５６２０、５６３０）およびＭＩＭＯ  シンボル５６４０の長さが（１＋ｌ＋ｍ）×４μｓ＝ｎ×４μｓであり、Ｌをｎ＝ｃｅｉｌ（Ｌ／（Ｒ／２））にすることにより従来システムはＭＩＭＯシステムの長さを計算することができる。このように従来システムは、ＭＩＭＯシステムの拡張シグナル５６００、ＭＩＭＯ  ＬＰ（５６１０、５６２０、５６３０）およびＭＩＭＯ  シンボル５６４０を理解しないが、これらの長さを計算できることにより共存できる。
【００１７】
図２１の事例はシグナル５２２０のＲをＭＩＭＯ  シンボル５６４０の伝送レートにすることにより簡単なＭＡＣでＭＩＭＯ  シンボルを送信することができかつ従来システムと共存することができる。
【００１８】
しかしながら、ＭＩＭＯでデータ転送を行う際、各アンテナの信号は別の伝送路で受信側まで伝送されるため、全てのアンテナの最適伝送レートは同じでない。このため、全てのアンテナの伝送レートを同じにした場合、伝送レートを最も遅いアンテナの伝送レートに合わせないとエラーレートを低くすることができない。よって、速く送ることが可能なアンテナの信号も遅い伝送レートで送らなければならなく、帯域を無駄にすることになる。
【００１９】
本発明は、上記の問題点に鑑みてなされたものであり、その目的は、同一周波数帯域でデータ通信を行う通信規格が混在した状態であっても、好適に低いエラーレートでかつ最適な伝送レートでデータ通信を行うことができる通信装置を提供することにある。
【課題を解決するための手段】
【００２０】
本発明にかかる通信装置では、ＭＩＭＯ  ＬＰの部分にＭＩＭＯを用いてデータを伝送する際の伝送速度に関する追加シグナルを追加する。そして、シグナルのＲを前記追加シグナルを含むＭＩＭＯ  ＬＰの伝送レートとし、前記追加シグナルはそれぞれのアンテナで伝送するＭＩＭＯ  シンボルの伝送レートを指定する。これにより、追加シグナルの伝送レートは従来の伝送レートだけではなく、ＡＢＬ（Ａｄａｐｔｉｖｅ  Ｂｉｔ  Ｌｏａｄｉｎｇ）のようなより高度な伝送レートにも対応することができる。前記追加シグナルの長さはａ×４μｓであり、ＭＩＭＯ  シンボルの伝送レートは追加信号（追加シグナル）で指定するため、拡張シグナルは不要となる。よって、シグナル以降のパケットの長さは（ｌ＋ａ＋ｍ）×４μｓになり、シグナルのＬは（ｌ＋ａ＋ｍ）＝ｃｅｉｌ（Ｌ／（Ｒ／２））より求めることにより、従来システムとＭＩＭＯシステムを共存することができるとともに、ＭＩＭＯ  シンボルの伝送レートをアンテナ毎に制御ができるようになり、低いエラーレートで帯域の利用効率を高くすることができる。
【００２１】
すなわち、本発明にかかる通信装置は、上記課題を解決するために、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対して複数のアンテナでデータの送信が可能な送信手段を備える通信装置であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、上記複数のアンテナに対して上記合計データの伝送速度を少なくとも１つが異なるように設定する設定手段と、上記設定された伝送速度に応じて、各アンテナによって送信されるデータ本文のデータ量を割り当てる割当手段とを備えることを特徴としている。
【００２２】
上記通信規格（Ａ）の形式でデータを受信する受信機（Ａ）では通信制御信号（Ａ）に基づいてデータを受信し、また通信規格（Ｂ）の形式でデータを受信する受信機（Ｂ）では通信制御信号（Ｂ）に基づいてデータを受信する。
【００２３】
また、１つの周波数帯域において、複数の機器間でデータの無線通信を行う場合に、１つの受信機に対してデータを送信する場合、各受信機は同一の周波数帯域のデータを受信することができるために、他の受信機も当該データを受信することとなる。そこで、或る機器がデータの送信を行っている間、送信されたデータが他のデータと衝突することを防止するために他の機器は、上記他のデータの送信を自粛する必要がある。そして、上記他の機器は、上記或る機器データを送信している時間を正確に知る必要がある。
【００２４】
上記の構成によれば、上記付加手段は、データ本文と通信制御信号（Ａ）との合計データを、通信規格（Ａ）の形式で送信する際に必要とするデータ送信時間に関する情報を含む通信制御信号（Ｂ）を、通信規格（Ｂ）の形式で上記合計データにヘッダとして付加している。つまり、上記通信制御信号（Ｂ）は、データ本体を受信機（Ａ）が受信するために必要な時間を示す情報を含んでいる。そして、上記ヘッダを読むことで、他の機器がデータを送信している正確な時間を知ることができる。
【００２５】
これにより、送信手段が受信機（Ａ）に対してデータを送信しているときに、当該データを受信した受信機（Ｂ）は、送信手段が受信機（Ａ）に対してデータを送信している正確な時間を知ることができるので、上記送信手段が受信機（Ａ）に対してデータを送信している間、データの送信を自粛することができる。したがって、異なる通信規格が混在した状態であっても、好適にデータ通信を行うことができる。
【００２６】
さらに、上記の構成とすることにより、アンテナごとに、異なる伝送速度（データの伝送速度）を設定することができるので、アンテナごとに最適な伝送レートを設定することができる。そして、１つのアンテナから送信するデータ量を各アンテナの伝送レートに応じて割り当てることができる。従って、全てのアンテナに同じ伝送レートに設定してデータ伝送を行う構成に比べて、データ全体のデータ伝送にかかる時間を短縮することができる。
【００２７】
従って、上記の構成とすることにより、異なる通信規格が混在した状態であっても、好適にデータ通信を行うことができるとともに、最適な伝送速度でデータ伝送を行うことができる。
【００２８】
なお、上記データ送信時間に関する情報とは、例えば、特定の通信規格にてデータを送信する際のデータの伝送速度（送信速度）およびデータ本文のデータ量等である。すなわち、上記データ送信時間に関する情報とは、データ送信時間自身であってもよく、特定の演算を行うことにより送信時間を算出することができるパラメータ等であってもよい。
【００２９】
また、上記設定手段は、上記複数のアンテナに対して上記データの伝送速度を設定する際に、例えば、受信機（Ａ）から送信されてくる電波受信状況等に基づいて設定するようにしてもよく、また、例えば、予め固定されていてもよい。つまり、設定手段は、各アンテナごとに伝送速度を、データを送信する際に設定してもよく、また、予め定められている場合にはその値に基づいて設定してもよい。
【００３０】
本発明の通信装置は、上記付加手段が、上記複数のアンテナで送信するデータのそれぞれに対して、上記設定手段にて設定された伝送速度を含む上記通信制御信号（Ｂ）を作成し、上記それぞれのデータに付加するものである構成がより好ましい。
【００３１】
上記の構成とすることにより、付加手段は、各データに対して通信制御信号（Ｂ）を付加しているので、上記複数のアンテナから送信される各データに伝送速度を付加することができる。そして、上記データを受信した受信機は、受信したデータに含まれている伝送速度に基づいてデータの受信を行うことができる。
【００３２】
なお、上記の場合には、各データに伝送速度を付加する場合について説明しているが、例えば、一つのデータに、各アンテナで送信している伝送速度を記録するようにしてもよい。この場合、上記一つのデータを受信した受信機は、上記一つのデータに記録されている伝送速度に基づいて、送信機から送信されてくるデータを受信すればよい。
【００３３】
本発明の通信装置は、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能な送信手段を備える通信装置であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、通信規格（Ａ）でデータ本体を送信する際のデータの伝送速度（Ａ）を含む通信制御信号（Ａ）を作成する作成手段とを備え、上記付加手段は、通信規格（Ｂ）でデータ本体を送信する際のデータの伝送速度（Ｂ）と、上記データ本体を通信規格（Ａ）で送信する際にかかるデータ送信時間および合計データを通信規格（Ｂ）で送信する際にかかるデータ送信時間が同じになるように設定された仮のデータ量とを含む通信制御信号（Ｂ）を付加するものであることを特徴としている。
【００３４】
上記の構成とすることにより、上述の理由により、異なる通信規格が混在した状態であっても、好適にデータ通信を行うことができる。
【００３５】
さらに、上記の構成によれば、通信規格（Ａ）でデータ本体を送信する際の伝送速度を、通信規格（Ｂ）とは異なるように設定することができる。つまり、本発明の通信装置では、通信規格（Ａ）でデータの送信を行う伝送速度を、通信規格（Ｂ）に関係なく、設定することができる。そして、例えば、通信規格（Ａ）にかかるデータの伝送速度を、通信規格（Ｂ）にかかるデータの伝送速度よりも速くすることにより、高速にデータ伝送を行うことができる。
【００３６】
本発明の通信装置は、上記送信手段は、複数のアンテナでデータの送信を行うものであり、上記付加手段は、上記複数のアンテナで送信するデータのそれぞれに対して、上記通信制御信号（Ｂ）を作成し、各データに付加するものである構成がより好ましい。
【００３７】
上記の構成によれば、複数のアンテナを用いてデータ送信を行うことができるので、従来よりもデータの伝送速度を向上させることができる。また、アンテナごとに通信制御信号（Ａ）を作成することにより、各アンテナに最適な伝送速度を実現することができるので、より高速にデータ通信を行うことができる。
【００３８】
本発明の通信装置は、上記送信手段は、複数のアンテナのうち、データ伝送に用いるアンテナの本数に応じて、使用するアンテナの本数を決定する決定手段を備えており、
上記付加手段は、上記決定手段により決定されたアンテナの本数に基づいて算出されたデータ送信時間に関する情報を含む通信制御信号（Ｂ）を作成するものである構成がより好ましい。
【００３９】
上記データ伝送に用いるアンテナの本数を決定するための条件とは、例えば、データを受信する受信機が備えるアンテナの本数や、伝送路の状況、予め設定されているアンテナの本数等がある。
【００４０】
上記の構成によれば、付加手段は、決定手段により決定されたアンテナの本数に基づいて算出されたデータ送信時間に関する情報を含む通信制御信号（Ｂ）を作成している。従って、複数のアンテナを用いてデータ送信を行う場合であっても、データ伝送の正確な終了時刻を知ることができる。
【００４１】
本発明の通信装置は、上記付加手段は、上記合計データのデータ量と通信規格（Ａ）の伝送速度とを含む通信制御信号（Ｂ）を作成するものである構成がより好ましい。
【００４２】
上記の構成によれば、合計データのデータ量と通信規格（Ａ）の伝送速度とを含む通信制御信号（Ｂ）を作成しているので、データ送信にかかる時間を正確に表すことができる。
【００４３】
本発明にかかる通信方法は、上記課題を解決するために、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対して複数のアンテナでデータの送信が可能な送信工程を含む送信方法であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加工程と、上記複数のアンテナに対して上記合計データの伝送速度を少なくとも１つが異なるように設定する設定工程と、上記設定された伝送速度に応じて、各アンテナによって送信されるデータ本文のデータ量を割り当てる割当工程とを含むことを特徴としている。
【００４４】
これにより、送信手段が受信機（Ａ）に対してデータを送信しているときに、当該データを受信した受信機（Ｂ）は、送信手段が受信機（Ａ）に対してデータを送信している正確な時間を知ることができるので、上記送信手段が受信機（Ａ）に対してデータを送信している間、データの送信を自粛することができる。したがって、異なる通信規格が混在した状態であっても、好適にデータ通信を行うことができる。
【００４５】
さらに、上記の構成とすることにより、アンテナごとに、異なる伝送速度（データの伝送速度）を設定することができるので、アンテナごとに最適な伝送レートを設定することができる。そして、１つのアンテナから送信するデータ量を各アンテナの伝送レートに応じて割り当てることができる。従って、全てのアンテナに同じ伝送レートに設定してデータ伝送を行う構成に比べて、データ全体のデータ伝送にかかる時間を短縮することができる。
【００４６】
従って、上記の構成とすることにより、異なる通信規格が混在した状態であっても、好適にデータ通信を行うことができるとともに、最適な伝送速度でデータ伝送を行うことができる。
【００４７】
本発明にかかる通信方法は、上記課題を解決するために、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能な送信工程を含む送信方法であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、通信規格（Ａ）でデータ本体を送信する際のデータの伝送速度（Ａ）を含む通信制御信号（Ａ）を作成する作成工程とを含み、上記付加工程は、通信規格（Ｂ）でデータ本体を送信する際のデータの伝送速度（Ｂ）と、上記データ本体を通信規格（Ａ）で送信する際にかかるデータ送信時間および合計データを通信規格（Ｂ）で送信する際にかかるデータ送信時間が同じになるように設定された仮のデータ量とを含む通信制御信号（Ｂ）を付加するものであることを特徴としている。
【００４８】
上記の構成とすることにより、上述の理由により、異なる通信規格が混在した状態であっても、好適にデータ通信を行うことができる。
【００４９】
さらに、上記の構成によれば、通信規格（Ａ）でデータ本体を送信する際の伝送速度を、通信規格（Ｂ）とは異なるように設定することができる。つまり、本発明の通信装置では、通信規格（Ａ）でデータの送信を行う伝送速度を、通信規格（Ｂ）に関係なく、設定することができる。そして、例えば、通信規格（Ａ）にかかるデータの伝送速度を、通信規格（Ｂ）にかかるデータの伝送速度よりも速くすることにより、高速にデータ伝送を行うことができる。
【００５０】
本発明にかかる通信プログラムは、上記の課題を解決するために、上記通信装置を動作させる通信プログラムであって、コンピュータを上記の各手段として機能させるための通信プログラムである。
【００５１】
上記の構成により、コンピュータで上記通信装置の各手段を実現することによって、上記通信装置を実現することができる。
【００５２】
本発明にかかる記録媒体は、上記通信プログラムを記録した、コンピュータ読取り可能な記録媒体である。
【００５３】
上記の構成により、上記記録媒体から読み出された通信装置の通信プログラムによって、上記通信装置をコンピュータ上に実現することができる。
【発明の効果】
【００５４】
本発明にかかる通信装置は、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対して複数のアンテナでデータの送信が可能な送信手段を備える通信装置であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、上記複数のアンテナに対して上記合計データの伝送速度を少なくとも１つが異なるように設定する設定手段と、上記設定された伝送速度に応じて、各アンテナによって送信されるデータ本文のデータ量を割り当てる割当手段とを備える構成である。
【００５５】
また、本発明の通信装置は、データの無線通信を行う通信規格（Ａ）の形式でデータを受信する受信機（Ａ）と、上記通信規格（Ａ）と同一の周波数帯域で通信規格（Ｂ）の形式でデータを受信する受信機（Ｂ）とが混在している状態で、上記受信機（Ａ）に対してデータの送信が可能な送信手段を備える通信装置であって、送信すべきデータ本文と、当該データ本文を通信規格（Ａ）の形式で送信する際に必要とするデータ送信時間に関する情報を少なくとも含む通信制御信号（Ａ）と、合計データを通信規格（Ａ）で送信した場合に必要なデータ送信時間に関する情報を含む通信制御信号（Ｂ）を作成し、通信規格（Ｂ）の形式で上記合計データのヘッダとして付加する付加手段と、通信規格（Ａ）でデータ本体を送信する際のデータの伝送速度（Ａ）を含む通信制御信号（Ａ）を作成する作成手段とを備え、上記付加手段は、通信規格（Ｂ）でデータ本体を送信する際のデータの伝送速度（Ｂ）と、上記データ本体を通信規格（Ａ）で送信する際にかかるデータ送信時間および合計データを通信規格（Ｂ）で送信する際にかかるデータ送信時間が同じになるように設定された仮のデータ量とを含む通信制御信号（Ｂ）を付加するものである構成である。
【００５６】
そして、本発明に関わる通信装置は、複数のアンテナを用いたＭＩＭＯで無線通信を行う際、最初に従来システムと同じ形式のＰＬＣＰを一つのアンテナで伝送し、ＰＬＣＰ中のシグナルに含まれるＭｂｐｓ単位のレート（Ｒ）でＭＩＭＯの追加シグナルの伝送レートを指定し、各アンテナで伝送するＭＩＭＯシンボルの伝送レートを追加シグナルで指定して、さらに上記シグナルに含まれている上記Ｒとデータ長ＬでＰＬＣＰの後のＭＩＭＯの部分の長さを計算することにより、従来システムと共存を保ちつつ低いエラーレートで帯域の利用効率を高くすることができる。
【００５７】
すなわち、上記の構成とすることにより、異なる通信規格が混在した状態であっても、好適にデータ通信を行うことができるとともに、最適な伝送速度でデータ伝送を行うことができる。
【発明を実施するための最良の形態】
【００５８】
本発明の一実施形態について図面に基づいて説明すると以下の通りである。
【００５９】
本実施の形態では、同一周波数帯域でデータの無線送信が可能な、通信規格（Ａ）と通信規格（Ｂ）とを共存させることができ、かつ、より高度な伝送レート制御ができる通信システム、送信機、受信機（通信機）に関して説明する。具体的には、既に規格化されているＩＥＥＥ８０２．１１ａ／ｇ（通信規格（Ｂ））とＭＩＭＯ（通信規格（Ａ））とを共存させる場合について説明する。
【００６０】
まず、ＩＥＥＥ８０２．１１およびＭＩＭＯについて説明する。
【００６１】
（ＩＥＥＥ８０２．１１）
ＩＥＥＥ８０２．１１等の通信規格に対応した無線ＬＡＮ（Ｌｏｃａｌ  Ａｒｅａ  Ｎｅｔｗｏｒｋ）のネットワークシステムでは、ＳＴＡ（Ｓｔａｔｉｏｎ）とＡＰ（Ａｃｃｅｓｓ  Ｐｏｉｎｔ）との二種類の端末があり、無線ＬＡＮシステムは、（１）二つのＳＴＡからなる場合と、（２）一つのＡＰと複数のＳＴＡからなる場合がある。上記（２）の場合における無線ＬＡＮシステムを、図２に示す。この場合、各ＳＴＡ（５０１０、５０２０）はＡＰ（５０００）のみとしか通信ができない。そして、例えば、ＳＴＡ５０１０がＳＴＡ５０２０と通信を行う場合には、一旦ＡＰ５０００を介して通信を行う。
【００６２】
一方、実時間映像伝送に対応したＩＥＥＥ８０２．１１ｅでは、上記ＳＴＡはＱＳＴＡと呼ばれ、上記ＡＰはＱＡＰと呼ばれる。そして、上記ＩＥＥＥ８０２．１１ｅの通信規格では、図３に示すように、ＱＳＴＡ５１１０は、他のＱＳＴＡ５１２０に対してＱＡＰ５１００を介すことなく、直接通信を行うことが可能である。
【００６３】
上記ＩＥＥＥ８０２．１１またはＩＥＥＥ８０２．１１ｅの通信規格で通信を行う場合、一つの端末は、他の端末（ＳＴＡあるいはＡＰ）がデータを送信している場合には、データを送信できない。具体的には、例えば図２の場合、ＳＴＡ５０１０がＡＰ５０００にデータを送信している時には、ＳＴＡ５０２０は、ＡＰ５０００に対してデータを送信できない。これは、二つの端末が同時に同じ端末に対して、データを送信すると伝送路で両方の信号が衝突してしまうためである。
【００６４】
そして、他の端末がデータを送信しているか否かの確認は、ＣＣＡ（Ｃｌｅａｎ  Ｃｈａｎｎｅｌ  Ａｓｓｅｓｓｍｅｎｔ）により行う。ＣＣＡは、物理層がＭＡＣ層に対して、伝送路上に信号が流れているかを知らせる信号であり、信号が流れている場合、上記他の端末ＣＣＡを１に設定する。例えば、上記図２において、ＳＴＡ５０１０がＡＰ５０００にデータを送信している際には、ＡＰ５０００とＳＴＡ５０２０との両方の端末は、自身のＣＣＡを１に設定する。そして、端末は、ＣＣＡが１の場合には、データの送信を行わない。
【００６５】
そして、上記端末は、ＣＣＡを、二つのＯＲ条件により１に設定する。その第一の条件は受信の電力である。具体的には、図４に示すように、送信機（無線端末Ｂ）（通信機）が受信機（無線端末Ａ）にパケットを伝送している際、無線端末Ｃは、パケットを伝送している間、ＣＣＡを１に設定している。パケットが伝送路に流れている期間、無線端末Ｃもこのパケットを受け、無線端末Ｃの受信電力がある閾値より大きくなると、無線端末Ｃは、自身のＣＣＡを１に設定する。しかしながら、上記第１の条件によって上記ＣＣＡを設定／変更する場合であって、例えば、図５に示すように、送信機（無線端末Ｂ）と受信機（無線端末Ｃ）との間に何らかの障害物が突然入った場合、パケットの伝送が終わっていなくても受信電力が小さくなる場合がある。この場合には、無線端末Ｃは、送信機（無線端末Ｂ）から受信機（無線端末Ａ）にパケットが送信されている途中であってもＣＣＡを０に変更する場合がある。従って、上記第一の条件、つまり、受信電力に応じてＣＣＡを制御するだけでは、受信機側（無線端末Ｃ）は、ＣＣＡを正しく設定することができない。
【００６６】
従って、各無線端末は、ＣＣＡをより正確に制御するために、上記受信電圧で上記ＣＣＡを制御（設定）する条件の他に、第二の条件が必要であり、この第二の条件としては、例えば、送信されているパケットの送信時間を計算してパケットの送信終了時刻までＣＣＡを１にしておくことが挙げられる。
【００６７】
ここで、上記パケットの送信にかかる時間（伝送時間）の計算を、図６に示す。まず、ＩＥＥＥ８０２．１１ａのパケットは、ショートプレアンブル（以下、ＳＰと称する）７０００、ロングプレアンブル（以下、ＬＰと称する）５２１０、シグナル５２２０、とｎ個のＯＦＤＭシンボル５２３０からなる。そして、上記シグナル５２２０は、６Ｍｂｐｓで伝送され、伝送レートのＲａｔｅ（以下、レートと称する）（Ｒ）、データ長（Ｌ）とＲｅｓｅｒｖｅｄ  Ｂｉｔ（以下、予約領域と称する）（Ｓ）からなる。そして、上記Ｒは５２３０のＭＢｐｓ単位の伝送レートであり、Ｌは５２３０で伝送するデータのバイト数であり、Ｓは０である。ここで、上記ＯＦＤＭシンボル（５２３０）の個数ｎはＣｅｉｌ（Ｌ／（Ｒ／２））で算出される。ここで、Ｃｅｉｌ（）は、切り上げである。そして、パケット全体の伝送時間は以上のように、下式（１）、
伝送時間＝８μｓ（ＳＰ７０００）＋８μｓ（ＬＰ５２１０）＋４μｓ（シグナル５２２０）＋ｎ×４μｓ（ＯＦＤＭシンボル５２３０）            …（１）
となる。よって、端末は、シグナル５２２０のＲとＬとから上記ｎを算出することができるので、パケットの送信が終わる時刻を計算することができる。そして、上記無線端末Ｃは、送信機（無線端末Ｂ）から受信機（無線端末Ａ）に送信されたパケットの送信が終わるまでＣＣＡを１にしておく。なお、上記において演算子“×”は、図中では“＊”で示している。
【００６８】
なお、上記の説明では、ＩＥＥＥ８０２．１１ａの例について説明しているが、例えば、ＩＥＥＥ８０２．１１ｇのパケット形式の場合でも同様である。なお、上記ＳＰ７０００、ＬＰ５２１０は、物理層で処理され、シグナル５２２０とＯＦＤＭシンボル５２３０は物理層とＭＡＣ層との両方で処理される。
【００６９】
しかしながら、シグナル５２２０の部分が正しく受信できなかった場合、パケットの伝送時間を正しく計算することができない。従って、上記端末は、受信電力が閾値電力より大きいか否かの判断（第一の条件）、または、パケットの終了時刻がまだ来ていないか否か（第二の条件）によってＣＣＡの値を設定する。
【００７０】
（ＭＩＭＯ）
ここで、ＭＩＭＯ  ＳＭについて説明する。図７（ａ）は、シングルリンクによる伝送形態を示している。この場合、一つの周波数帯域に対し一つの信号のみが伝送されている。同図に示す例では、まず、信号Ａが送信側通信装置１に入力されると、送信側通信装置１は、入力された信号Ａを信号Ｔｘに変調して伝送路ｈに無線出力する。そして、受信側通信装置２は、伝送路ｈを通過した信号Ｔｘを信号Ｒｘとして受信する。そして、受信側通信装置２は、受信した信号Ｒｘを復調することによって信号Ａを出力する。ここで、信号Ｒｘは、Ｒｘ＝Ｔｘ×ｈ＋（雑音成分）の式によって表すことができる。すなわち、送信側通信装置１から送新された信号Ｔｘは、図７（ｂ）の左側のグラフで示される周波数スペクトルであった場合、受信側通信装置２で受信される信号Ｒｘは、同図の右側のグラフで示される周波数スペクトルのように、伝送路ｈにおける伝送係数ｈの影響および雑音成分の影響を受けたものとなる。
【００７１】
図７（ｃ）は、送信アンテナ数と受信アンテナ数とをそれぞれ２つにした場合のＭＩＭＯによる伝送形態を示している。同図に示す例では、ＭＩＭＯ送信機５３００に対して、同時に２つの信号Ａ・Ｂが入力されると、当該ＭＩＭＯ送信機５３００は、入力された信号Ａ・Ｂをそれぞれ変調部５３００ａ・５３００ｂによって信号Ｔｘ１・Ｔｘ２に変調して無線出力する。ＭＩＭＯ受信機５３１０は、伝送路Ｈを通過した信号Ｔｘ１・Ｔｘ２を信号Ｒｘ１・Ｒｘ２として受信する。ここで、信号Ｒｘ１・Ｒｘ２は、下式（２）、（３）で表される。
Ｒｘ１＝Ｔｘ１×ｈ１１＋Ｔｘ２×ｈ１２＋（雑音成分）            …（２）
Ｒｘ２＝Ｔｘ１×ｈ２１＋Ｔｘ２×ｈ２２＋（雑音成分）            …（３）
上記ｈ１１、ｈ１２、ｈ２１、ｈ２２は、それぞれ伝送係数である。ＭＩＭＯ受信機５３１０の各受信アンテナで受信する信号は、上式のように信号Ｔｘ１および信号Ｔｘ２の両方の成分を含んだものを受信する。
【００７２】
そして、ＭＩＭＯ受信機５３１０は、受信した信号Ｒｘ１・Ｒｘ２を、ＩＣＩ（Ｉｎｔｅｒ−Ｃｈａｎｎｅｌ  Ｉｎｔｅｒｆｅｒｅｎｃｅ）キャンセラー５３１０ｃによって信号Ｔｘ１Ａ・Ｔｘ２Ａに変換する。この信号Ｔｘ１Ａ・Ｔｘ２Ａは、信号Ｔｘ１・Ｔｘ２のＢＢ（Ｂａｓｅ  Ｂａｎｄ）信号に相当する。その後、復調部５３１０ａ・５３１０ｂは、それぞれの信号Ｔｘ１Ａ・Ｔｘ２Ａを信号Ａ・Ｂに復調した後出力する。なお、ＭＩＭＯの場合でも、ＯＦＤＭ方式で変調・復調が行われる。
【００７３】
以上のように、ＭＩＭＯの技術を用いれば、二つの送信および受信アンテナを用いることにより同じチャンネルで二つの信号（Ａ、Ｂ）を同時に伝送することができ、より高速化を達成することができる。
【００７４】
図８は、送信アンテナ数および受信アンテナ数を２つにしたＭＩＭＯにおいて、一つの信号ＢＡを送受信するＭＩＭＯ送信機１およびＭＩＭＯ受信機２の概略構成を示すブロック図である。具体的には、ＭＩＭＯ送信機１は、当該ＭＩＭＯ送信機１に入力された信号ＢＡを、Ｓ／Ｐ（Serial/Parallel）５３００ｃにおいて信号Ａと信号Ｂとに分割し、それぞれ異なるアンテナによってＭＩＭＯ受信機２に送信する。ＭＩＭＯ受信機２では、受信して復調された信号Ａおよび信号ＢをＰ／Ｓ（Parallel/Serial）５３１０ｄによって合成し、信号ＢＡを出力する。この例においては、一つの信号を複数のアンテナで同時に送信することによって通信速度の高速化を図っている。
【００７５】
なお、複数のチャンネルを用いて高速化することの欠点は、利用する帯域が大きくなり加入できるユーザ数が減ることである。一方、ＭＩＭＯの場合の欠点は、それぞれのアンテナの信号がお互い影響するため、通信距離が短くなることである。
【００７６】
（通信システムの構成）
図９は、本実施の形態にかかる通信システムの概略構成を示している。同図に示すように、この通信ネットワークシステムは、送信装置３から受信装置４…に対して、送信側通信装置（通信装置）１および受信側通信装置（通信装置）２…を介して、ストリームデータおよび／またはデータが送信される構成となっている。なお、同図では、受信側通信装置２および受信装置４がそれぞれ複数設けられている例が示されているが、それぞれが一つだけ設けられている構成であってもよい。また、送信側通信装置１および送信装置３が複数設けられていてもよい。
【００７７】
送信装置３は、動画データなどのストリームデータや、その他のデータを外部の装置に対して送信することが可能な装置である。具体的には、送信装置３は、例えばＤＶＤ（Digital Versatile Disk）プレイヤーやＤＶＤレコーダ、ＨＤＤレコーダなどの動画再生装置や、ＢＳ／ＣＳチューナーなどの放送受信装置などによって構成されるものである。
【００７８】
受信装置４は、受信したストリームデータやその他のデータに基づいて処理を行う装置である。具体的には、受信装置４は、例えば受信したストリームデータとしての動画データを表示する表示装置などによって構成されるものである。
【００７９】
送信装置３は、ストリームデータ／データを、送信側通信装置１に伝送する。そして、送信側通信装置１は、無線通信によって受信側通信装置２に対して該ストリームデータ／データを送信する。受信側通信装置２は、送信側通信装置１から送られたストリームデータ／データを、無線を介して受信すると、これを受信装置４に伝送する。以上の処理によって、送信装置３から受信装置４へのストリームデータ／データの送信が行われる。
【００８０】
なお、本実施の形態では、送信装置３と送信側通信装置１とを別の装置として設けたシステムを示しているが、これに限定されるものではなく、送信装置３の内部に、送信側通信装置１の機能を設けた構成となっていてもよい。同様に、受信装置４の内部に、受信側通信装置２の機能を設けた構成となっていてもよい。つまり、送信装置３と送信側通信装置１とは一体に形成してもよく、受信装置４と受信側通信装置２とを一体に形成してもよい。
（送信側通信装置の構成）
図１は、本実施の形態にかかる送信側通信装置（通信装置）１の概略構成を示す機能ブロック図である。同図に示すように、送信側通信装置１は、送信パケット処理部２０、プレアンブル生成部１０、ＭＩＭＯ送信部３０、ＭＩＭＯの送信アンテナ４０、制御部５０、ＭＩＭＯの受信アンテナ８０、ＭＩＭＯ受信部７０、受信パケット処理部６０を備えた構成となっている。
【００８１】
パケットはストリームデータパケット、データパケット、送達確認パケットなど多数の種類があり、送信パケット処理部２０は、それぞれに適したパケットを生成する。ＭＩＭＯ送信部３０は、送信パケット処理部２０で生成されたパケットを、複数のアンテナの信号に変調するとともに、変調されたそれぞれの信号を、それぞれのＭＩＭＯの送信アンテナ４０に送信する。なお、プレアンブル生成部１０、ＭＩＭＯ送信部３０、ＭＩＭＯの送信アンテナ４０が図７（ｃ）または図１０のＭＩＭＯの送信部に相当する。そして、送信パケット処理部２０とＭＩＭＯ送信部３０との間のインターフェース２５の数はＭＩＭＯ送信部３０が備えるアンテナ数と同じであり、例えば、図８の場合には、送信パケット処理部２０とＭＩＭＯ送信部３０の間のインターフェース２５の数は一つである。なお、プレアンブル生成部１０の詳細な構成については後述する。
【００８２】
送信側通信装置１ではパケットを送信するだけではなく、（１）受信側通信装置２との能力交換、（２）送信したデータパケットの確認、（３）ＡＢＬ情報交換などを行うため、受信側通信装置２からのパケットの受信等を行ってもよい。受信側通信装置２からのパケットの信号は、受信アンテナ８０で受信され、ＭＩＭＯ受信部７０で復調され、受信パケット処理部６０で解析される。なお、受信アンテナ８０、ＭＩＭＯ受信部７０、と受信パケット処理部６０が図７（ｃ）または図１０のＭＩＭＯの受信部に相当する。そして、ＭＩＭＯ受信部７０と受信パケット処理部６０の間のインターフェース６５の数は受信側通信装置２のＭＩＭＯ受信部７０が備えるアンテナ数と同数であり、図８の場合、送信パケット処理部２０とＭＩＭＯ送信部３０との間のインターフェース６５の数は一つである。なお、受信されたパケットがＡＢＬ情報の場合、この情報は受信パケット処理部６０から送信パケット処理部２０にフィードバックされ、ＭＩＭＯ送信部３０このＡＢＬ情報を用いてパケットの変調を行う。そして、送信パケットと受信パケットの順番の管理などは制御部５０で行われる。なお、制御部５０には、設定部と割当部とを備えている。これらの詳細な構成については、後述する。
【００８３】
ここで、上記プレアンブル生成部１０の詳細な構成について説明する。プレアンブル生成部１０は、ＭＩＭＯプレアンブル生成部１１と、ＩＥＥＥプレアンブル生成部（付加手段）１２とを備えている。そして、プレアンブル生成部１０は、ＭＩＭＯ＿ショートプレアンブル（以下、ＭＩＭＯ＿ＳＰと称する）６０００、ＬＰ５２１０、シグナル５２２０、ＭＩＭＯ＿プレアンブル／シグナル６０１０を生成する。
【００８４】
上記ＭＩＭＯプレアンブル生成部１１は、データ本文をＭＩＭＯシステムで送信する際に必要なＭＩＭＯ＿プレアンブル／シグナル６０１０を生成するものである。このＭＩＭＯ＿プレアンブル／シグナル６０１０は、ＭＩＭＯプレアンブルとＭＩＭＯシグナルとから構成されている。そして、ＭＩＭＯプレアンブル生成部１１は、少なくともＭＩＭＯ＿プレアンブル／シグナル６０１０のうちの、ＭＩＭＯシグナルを生成する。このＭＩＭＯプレアンブル生成部１１が生成するＭＩＭＯシグナルは、１本のアンテナで送信し、かつ、ＭＩＭＯシステムで送信するデータ本文（ＭＩＭＯシンボル６０２０…）に基づいて生成される。より具体的には、上記ＭＩＭＯプレアンブル生成部１１は、アンテナＴｘＡにて送信するデータ本文（ＭＩＭＯシンボル６０２０Ａ）に基づいてＭＩＭＯ＿プレアンブル／シグナル６０１０Ａを生成するとともに、アンテナＴｘＢにて送信するデータ本文（ＭＩＭＯシンボル６０２０Ｂ）に基づいてＭＩＭＯ＿プレアンブル／シグナル６０１０Ｂを生成する。つまり、ＭＩＭＯプレアンブル生成部１１は、受信機に対してデータを送信するアンテナの本数に基づいて、それぞれのアンテナから送信するデータに対するＭＩＭＯ＿プレアンブル／シグナル６０１０（Ａ／Ｂ）をそれぞれ生成する。なお、以下の説明では、特に区別する必要がない場合には、ＭＩＭＯ＿プレアンブル／シグナル６０１０ＡおよびＭＩＭＯ＿プレアンブル／シグナル６０１０Ｂを、単にＭＩＭＯ＿プレアンブル／シグナル６０１０として説明する。そして、上記ＭＩＭＯプレアンブル生成部１１は、生成するＭＩＭＯシグナルに含まれるレート（Ｒ）とデータ長（Ｌ）とを、上記レート（Ｒ）がＭＩＭＯシンボル６０２０の伝送レートを示し、データ長（Ｌ）がＭＩＭＯシンボル６０２０のバイト数を表すように、当該ＭＩＭＯシグナルを生成する。
【００８５】
また、上記ＭＩＭＯプレアンブル生成部１１は、生成したＭＩＭＯ＿プレアンブル／シグナル６０１０（通信制御信号（Ａ））をデータ本体に対して当該データ本体の先頭（ヘッダ）として付加する。
【００８６】
一方、上記ＩＥＥＥプレアンブル生成部１２は、データ本体とＭＩＭＯ＿プレアンブル／シグナル６０１０とを併せた合計データに対して、ＩＥＥＥ８０２．１１ａ／ｇシステムで解析可能な通信制御信号（Ｂ）を当該合計データの先頭（ヘッダ）に付すものである。より具体的には、ＩＥＥＥプレアンブル生成部１２は、図１１に示すように、アンテナＴｘＡにて送信するＭＩＭＯシンボル６０２０ＡとＭＩＭＯ＿プレアンブル／シグナル６０１０との合計データに基づいて、ＭＩＭＯ＿ＳＰ６０００とＬＰ５２１０とシグナル５２２０とを生成する。
【００８７】
つまり、ＩＥＥＥプレアンブル生成部１２は、ＭＩＭＯシンボル６０２０とＭＩＭＯ＿プレアンブル／シグナル６０１０とに基づいて、レート（Ｒ）とデータ長（Ｌ）とが算出されたシグナル５２２０を生成している。また、ＭＩＭＯシンボル６０２０とＭＩＭＯ＿プレアンブル／シグナル６０１０と併せた時間の長さは、４μｓ×ｎ＝４μｓ×ｃｅｉｌ（Ｌ／（Ｒ／２））である。そして、上記レート（Ｒ）は、ＭＩＭＯ＿プレアンブル／シグナル６０１０の伝送レートであり、上記データ長（Ｌ）は、ＭＩＭＯシンボル６０２０とＭＩＭＯ＿プレアンブル／シグナル６０１０との合計バイト数を示す。そして、最終的に生成されたデータは、通信制御信号（Ｂ）、通信制御信号（Ａ）、データ本体の順になっている。より具体的には、最終的に生成されたデータのうち、通信制御信号（Ａ）には、データ本体をＭＩＭＯで送信する際のデータの伝送速度（伝送速度（Ａ））が含まれており、通信制御信号（Ｂ）には、ＩＥＥＥ８０２．１１ａ／ｇで合計データを送信する際に算出されるデータ送信時間が、データ本体をＭＩＭＯで送信する際にかかるデータ送信時間となるように設定されたデータの伝送速度（伝送速度（Ｂ））および仮のデータ量（データ長）が含まれている。そして、通信制御信号（Ａ）に含まれている伝送速度は、通信制御信号（Ｂ）に含まれている伝送速度よりも速くなるように設定されている。このように、本実施の形態にかかる送信機では、送信するデータに対して、２つのデータの伝送速度を有している。具体的には、ＭＩＭＯプレアンブル生成部１１は、ＭＩＭＯでデータ本体を伝送する際に最適なデータの伝送速度を含むＭＩＭＯシグナルを作成し、ＩＥＥＥプレアンブル生成部１２は、ＩＥＥＥ８０２．１１ａ／ｇのデータの伝送速度と、ＩＥＥＥ８０２．１１ａ／ｇのデータの伝送速度でデータ伝送を行う場合にかかるデータ伝送時間が、当該ＭＩＭＯでデータ本体を伝送する際にかかるデータ送信時間と同じになるように設定された仮のデータ量を含むシグナル５２２０を作成している。
【００８８】
なお、本実施の形態では、ＩＥＥＥ８０２．１１ａ／ｇシステムでデータを送信する際に必要なシグナルと、ＳＰと、ＬＰとを併せて通信制御信号（Ｂ）としている。また、少なくともＭＩＭＯシグナルを含む情報を通信制御信号（Ａ）としている。この通信制御信号（Ａ）は、ＭＩＭＯシグナルだけの場合と、ＭＩＭＯシグナルとＭＩＭＯプレアンブルとを含む場合がある。
【００８９】
そして、制御部５０は、図１に示すように、設定部（設定手段）１３と割当部（割当手段）１４とを備えている。
【００９０】
上記設定部１３は、上記送信側通信装置１に設けられておりデータ転送に用いる複数のアンテナ（送信アンテナ４０）に対して、上記合計データの伝送速度を少なくとも１つが異なるように設定するものである。つまり、用いる各送信アンテナ４０でデータを送信するデータの伝送速度を設定するものである。
【００９１】
上記割当部１４は、上記設定部１３にて設定された伝送速度に応じて、各送信アンテナ４０によって送信されるデータ本文のデータ量を割り当てるものである。つまり、上記割当部１４は、受信側通信装置２に送信するデータ（データ本文）を、分割して各送信アンテナ４０に割り当てるものである。
【００９２】
そして、本実施の形態にかかる送信側通信装置１では、ＩＥＥＥプレアンブル生成部１２は、上記複数の送信アンテナ４０で送信するデータのそれぞれに対して、上記設定部１３にて設定された伝送速度を含む上記通信制御信号（Ｂ）を作成し、各データに付加している。つまり、ＩＥＥＥプレアンブル生成部１２は、各送信アンテナ４０から送信される各データのデータ送信速度を付加したシグナル５２２０を作成している。
【００９３】
これにより、送信アンテナ４０ごとに、異なる伝送速度を設定することができるので、送信アンテナ４０ごとに最適な伝送レートを設定することができる。そして、１つの送信アンテナ４０から送信するデータ量を各送信アンテナ４０の伝送レートに応じて割り当てることができる。従って、全ての送信アンテナ４０に同じ伝送レートに設定してデータ伝送を行う構成に比べて、データ全体のデータ伝送にかかる時間を短縮することができる。
（受信側通信装置の構成）
図１２は、受信側通信装置２の概略構成を示す機能ブロック図である。同図に示すように、受信側通信装置２は、ＭＩＭＯの受信アンテナ８０、ＭＩＭＯ受信部７０、受信パケット処理部６０、制御部５０、送信パケット処理部２０、プレアンブル生成部１０、ＭＩＭＯ送信部３０、ＭＩＭＯの送信アンテナ４０を備えた構成となっていて、これらは送信側通信装置１と同じであるため、説明は省略する。
【００９４】
また、送信側通信装置１から送信されてきたデータを受信する受信側通信装置２としては、ＭＩＭＯ（通信規格（Ａ））で送信されたパケットを受信可能なＭＩＭＯ用受信側通信装置２と（以下、受信側通信装置２と称する）、ＩＥＥＥ８０２．１１ａ／ｇ（通信規格（Ｂ））のパケットを受信可能なＩＥＥＥ８０２．１１ａ／ｇ用受信側通信装置とがある。上記ＩＥＥＥ８０２．１１ａ／ｇ用受信側通信装置の詳細な説明については、公知であり詳細な説明は省略する。
【００９５】
そして、上記受信側通信装置２は、ＭＩＭＯの形式で送信されてきたデータを受信することができる。具体的には、上記受信側通信装置２は、上記送信側通信装置１から送信されてきたデータを受信すると、当該データに含まれているＭＩＭＯ＿プレアンブル／シグナル６０１０を参照して、データを受信することができる。より詳細には、上記受信側通信装置２は、上記送信側通信装置１から送信されてきたデータを受信すると、当該データに含まれているＩＥＥＥ８０２．１１ａ／ｇ（通信規格（Ｂ））の通信制御信号（Ｂ）より送信時間を計算してＣＣＡを設定し、通信制御信号（Ｂ）のレート（Ｒ）より通信制御信号（Ａ）の伝送レートを取得し、その後のＭＩＭＯ（通信規格（Ａ））の通信制御信号（Ａ）に基づいてデータを取得する。そして、受信したデータを復調することで、送信されてきたデータを同じデータを取得する。
【００９６】
一方、ＩＥＥＥ８０２．１１ａ／ｇ用受信側通信装置が、上記送信側通信装置１から送信されてきたデータを受信すると、当該データに含まれているＩＥＥＥ８０２．１１ａ／ｇ（通信規格（Ｂ））の通信制御信号（Ｂ）に含まれているデータ送信終了時間に基づいて、ＣＣＡを１に設定する時間を決定する。
【００９７】
このように、本実施の形態にかかるデータ通信システムでは、同一周波数帯域でデータの無線通信を行う、２つの通信規格（ＭＩＭＯ（通信規格（Ａ））、ＩＥＥＥ８０２．１１ａ／ｇ（通信規格（Ｂ）））が、共存できるように、送信すべきデータ本文と、当該データ本文のヘッダとして付加され、当該データ本文を通信規格（Ａ）の形式で送信する際に必要とするデータ送信時間に関する情報を少なくとも含む通信制御信号（Ａ）と、の合計データを通信規格（Ａ）で送信した場合に必要なデータ送信時間に関する情報を含む通信制御信号（Ｂ）を、通信規格（Ｂ）の形式で上記合計データのヘッダとして付加するＩＥＥＥプレアンブル生成部１２を備えている。
【００９８】
以上のように、本実施の形態にかかる通信システムでは、上記受信側通信装置２とは異なり、ＩＥＥＥ８０２．１１ａ／ｇの形式で送信されてきたデータを復調することにより、送信前のデータと同じデータを取得することができる受信装置が含まれている場合がある。例えば、既に規格化されているＩＥＥＥ８０２．１１ａ／ｇシステムとＭＩＭＯシステムとが同じ周波数帯域で通信を行う場合、両者の受信装置は、互いに異なる形式のデータを受信することになる。
【００９９】
そして、ＭＩＭＯの形式でデータの送受信を行う際には、ＩＥＥＥ８０２．１１ａ／ｇシステムは、ＭＩＭＯのパケットを理解しなくてよいが、同一周波数帯域で通信が行われるＩＥＥＥ８０２．１１ａ／ｇで送信されるパケットと、ＭＩＭＯのパケットとが衝突することを避けなければならない。つまり、例えば、ＭＩＭＯシステムがパケットを送信している間、同じ周波数帯域でパケットを送信することを避けなければならない。また、例えば、ＩＥＥＥ８０２．１１ａ／ｇシステムがパケットを送信している間、同じ周波数帯域でパケットを送信することを避けなければならない。
【０１００】
このため、ＩＥＥＥ８０２．１１ａ／ｇシステムは、上記受信電力とＭＩＭＯパケットの送信が終了する時間（データ送信終了時間）を確認できなければならない。上記受信電力は送信されているパケット信号の電力より確認できる。
【０１０１】
本実施の形態では、ＭＩＭＯパケットの送信終了時間は、ＭＩＭＯパケットの最初の部分（ヘッダの部分）、つまり、ＳＰ、ＬＰとシグナルをＩＥＥＥ８０２．１１ａ／ｇ用受信側通信装置が理解できるようにしている。これについて具体的に説明する。
【０１０２】
図１１にＩＥＥＥ８０２．１１ａ／ｇと共存するためのＭＩＭＯのパケット形式を示す。本事例は二つのアンテナ、ＴｘＡとＴｘＢとの事例であるが、二つ以上の場合、一つのアンテナの形式がＴｘＡと同じであり、その他はＴｘＢと同じである。ＭＩＭＯパケット形式は、図１１に示すように、ＭＩＭＯ＿ＳＰ６０００、ＬＰ５２１０、シグナル５２２０、ＭＩＭＯ＿プレアンブル／シグナル６０１０とＭＩＭＯ  シンボル６０２０からなる。そして、ＭＩＭＯ＿プレアンブル／シグナル６０１０には、データ伝送を行う全てのアンテナにおいて、データ伝送に関するそれぞれのシグナルが含まれている。
【０１０３】
ＭＩＭＯ  プレアンブルの長さはｐ×４μｓであり、ＭＩＭＯ  シンボル６０２０の長さはｍ×４μｓであり、ｎ＝ｐ＋ｍである。ＬＰ５２１０とシグナル５２２０は従来のＩＥＥＥ８０２．１１ａ／ｇと同じである。シグナル５２２０の予約領域（Ｓ）はＭＩＭＯの場合、１にする。ＭＩＭＯでは各送信アンテナで送信する信号の伝送レートは異なり、それぞれのアンテナの伝送レートはＭＩＭＯ  シグナル６０１０で指定する。ＭＩＭＯ  シグナル６０１０自身の伝送レートはシグナル５２２０のレート（Ｒ）で指定する。従来のＩＥＥＥ８０２．１１ａ／ｇシステムにおけるシグナル５２２０のデータ長（Ｌ）は、（ア）シンボル５２３０で送信されるデータのバイト数を指定していることと、（イ）シンボル５２３０数のｎを求めるためにも用いていることに対して、ＭＩＭＯの場合、データ長（Ｌ）は、ｎ＝ｐ＋ｍ（ＭＩＭＯにおけるデータ本文とＭＩＭＯ用の通信制御信号）を求めるためのみに用いる。よって、データ長（Ｌ）はＭＩＭＯの場合、送信されるデータのバイト数ではなくなる。
【０１０４】
つまり、本実施の形態において、シグナル５２２０は、データ本文と、当該データ本文をＭＩＭＯシステムでパケット送信する際に必要な通信制御信号との合計データを、従来のＩＥＥＥ８０２．１１ａ／ｇシステムで送信する場合に必要なデータ送信時間に関する情報を含む通信制御信号になっている。従って、上記シグナル５２２０を含むデータをＩＥＥＥ８０２．１１ａ／ｇ用受信側通信装置が受信した場合には、正確なデータ送信終了時間を知ることができるので、当該データが送信されている間に、自身から他の機器に対して、データを送信することを自粛することができる。また、上記シグナル５２２０を含むデータをＭＩＭＯシステムが受信した場合には、ＭＩＭＯ用の通信制御信号を含むＭＩＭＯ＿プレアンブル／シグナル６０１０に基づいて、データ本文を正しく受信することができる。
【０１０５】
このように、従来のＩＥＥＥ８０２．１１ａ／ｇシステムは、ＭＩＭＯのパケットを理解できなくても、データ本文とＭＩＭＯ用の通信制御信号との合計データのレート（Ｒ）とデータ長（Ｌ）を参照することによりＭＩＭＯパケットの終了時刻を正確に計算することができるので、従来のＩＥＥＥ８０２．１１ａ／ｇシステムとＭＩＭＯシステムとを共存させることができる。
【０１０６】
また、シグナル５２２０のレートは６０１０のシグナルの伝送レートを指定し、６０１０の各アンテナのシグナルはそれぞれのアンテナのＭＩＭＯ  シンボル６０２０の伝送レートを指定することによりより高度な伝送レート制御をすることができて周波数帯域の無駄を低減することができる。
【０１０７】
なお、ＭＩＭＯ＿ＳＰ６０００は、ＭＩＭＯ用のショートプレアンブルであり、例えば、図１３（ａ）、図１３（ｂ）、図１３（ｃ）に示すような三つの構成が可能である。それぞれの事例でアンテナ数はＸ個である。図１３（ａ）に示す構成の場合、送信側通信装置１は、上記従来のＩＥＥＥ８０２．１１ａ／ｇと同じＭＩＭＯ＿６０００をＬＰ５２１０を送信するアンテナで送信する。その後で、送信側通信装置１は、ＬＰ５２１０、シグナル５２２０を順に送信する。
【０１０８】
図１３（ｂ）に示す構成の場合、送信側通信装置１は、ＭＩＭＯ＿ＳＰ（Ａ，Ｂ…Ｘ）６０００を全てのアンテナで送信する。これらＭＩＭＯ＿ＳＰ（Ａ，Ｂ…Ｘ）６０００はお互いに直交であるが、ＬＰと同じアンテナで送信されるＳＰのみは従来の８０２．１１ａ／ｇと同じである。
【０１０９】
図１３（ｃ）に示す構成の場合、送信側通信装置１は、最初に従来のＩＥＥＥ８０２．１１ａ／ｇと同じＭＩＭＯ＿６０００を、ＬＰ５２１０を送信するアンテナ（ＴｘＡ）と同じアンテナから上記ＬＰ５２１０よりも前に送信し、次にＬＰ５２１０、シグナル５２２０を送信する。そして送信側通信装置１は、シグナル５２２０を送信した後に、全てのアンテナでそれぞれ異なるＳＰ（Ａ，Ｂ…Ｘ）５２０２を同時に送信する。それぞれのＳＰ（Ａ，Ｂ…Ｘ）５２０２はお互いに直交であり、これらはＭＩＭＯ＿プレアンブル／シグナル６０１０のｐ×４μｓに含まれる。
【０１１０】
そして、例えば、ＩＥＥＥ８０２．１１ａ／ｇの形式のデータを受信することができる受信側通信装置は、上記送信側通信装置１から送信されてきたデータを受信した場合には、ＩＥＥＥ８０２．１１ａ／ｇの規格で記述されているシグナル５２２０の内容を解析して、送信側通信装置１がデータを送信しているデータ送信終了時間を算出し、このデータ送信終了時間までの間、自身から他の機器へデータ送信を自粛する。また、ＭＩＭＯの形式のデータを受信することができる受信側通信装置２は、ＭＩＭＯの形式で記述されているＭＩＭＯ＿プレアンブル／シグナル６０１０に含まれているＭＩＭＯシグナルを解析して、送信側通信装置１がデータを送信しているデータ送信終了時間を算出し、このデータ送信終了時間までの間、自身から他の機器へデータ送信を自粛する。つまり、ＭＩＭＯの形式のデータを受信することができる受信側通信装置２は、上記シグナル５２２０の内容を無視して、ＭＩＭＯシグナルの内容に基づいてデータ送信を自粛する期間を設定している。
【０１１１】
また、本実施の形態にかかる送信側通信装置１は、通信速度を高めるために、受信側通信装置２から伝送路に関する情報を取得し、この取得した情報に基づいて、伝送速度を設定するようにしてもよい。この場合、具体的には、ＭＩＭＯ送信部３０が伝送速度を決定する。以下に、受信側通信装置２から送信されてくる伝送路に関する情報に基づいて伝送速度を設定する技術（ＡＢＬ）について説明する。
（ＡＢＬ）
無線通信でデータ通信を行う際、図１４に示されるように、送信側通信装置１は、送信するデータを変調する。そして、変調された送信信号は、伝送路を経由して受信側通信装置２に到着する。そして、受信側通信装置２は、受信した受信信号を復調して元のデータを出力する。
【０１１２】
無線通信ではデータの伝送速度を調整することができ、通信の帯域を無駄にしないためにはできるだけ早い伝送速度でデータ通信を行うことが重要である。伝送速度の最適な早さは伝送路の状況に依存する。伝送路を経由して受信側通信装置２にて受信された受信信号は、例えば、図１４に示すように、送信信号と比べて乱れている。そして、上記受信信号のうち、雑音レベルに近い部分Ｂ（受信信号の強度の弱い部分）は伝送状況が悪く、復調し難くい。雑音レベルから遠い部分Ａ（受信信号の強度の強い部分）は通信状況が良く、復調し易い。よって、部分Ｂにはより安全で速度の遅い伝送速度が適し、部分Ａには高速の伝送速度が適している。
【０１１３】
しかしながら、従来では送信する信号の全ての部分に同じ伝送速度を用いているため、伝送速度を通信状況が最も悪い部分に合わせる必要がある。一方、伝送速度を受信信号のそれぞれの部分の最適速度に合わせると、より高速な伝送速度を達成することができる。このためには送信の伝送速度を決める送信側通信装置１が伝送路の状況を知る必要がある。
【０１１４】
受信側通信装置２が伝送路の状況を送信側通信装置１にフィードバックをする技術がＡＢＬ（Ａｄａｐｔｉｖｅ  Ｂｉｔ  Ｌｏａｄｉｎｇ）（非特許文献６参照）である。図１５のように、ＡＢＬでは、送信側通信装置１が送信アンテナ４０ａを用いてデータを送信した際、受信側通信装置２は、受信アンテナ８０ａで受信した受信信号から伝送路の状況を理解する。そして、受信側通信装置２は、送信アンテナ８０ｂを用いて、送信側通信装置１に伝送路の状況をフィードバックする。送信側通信装置１は、伝送路の状況を受信アンテナ４０ｂで受信すると、該伝送路の状況に基づいて、次に伝送するデータに最適な伝送速度に伝送速度を設定することができる。なお、受信側通信装置２がフィードバックする情報の例としては、例えば、図１４の受信信号のように、受信信号の各部分の受信電力、または送信側通信装置１が各部分に用いる変調速度やコーディングレート等が挙げられる。
【０１１５】
なお、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が無線通信、例えばＩＥＥＥ８０２．１１ａとＩＥＥＥ８０２．１１ｇに用いられるようになった。これらの事例では図１６に示されるように、５２波を用いてデータ通信を行い、この中の４８波が実際のデータである。伝送速度の調整は、データの全４８波に同じ変調速度（ＢＰＳＱ〜６４ＱＡＭ）と同じコーディングレート（１/２、３/４あるいは２/３）を用いている。ＡＢＬをＯＦＤＭに適用した事例としては、それぞれのデータ波に別の変調速度を用いて伝送速度の調整を行うことである。
【０１１６】
そして、本実施の形態にかかる送信側通信装置１では、受信側通信装置２から受信した伝送路に関する情報に基づいて、ＭＩＭＯ送信部３０が備えている送信アンテナ４０の各アンテナに対して、伝送速度をそれぞれ設定することがより好ましい。これにより、アンテナごとに最適な伝送速度を設定することができるので、より一層高速にデータの送受信を行うことができる。
【０１１７】
また、本実施の形態では、プレアンブル生成部１０は、ＭＩＭＯ送信部３０により決定された、データ伝送に用いるアンテナの本数に基づくデータ送信時間に関する情報を含む通信制御信号（Ｂ）を作成することがより好ましい。より具体的には、上記プレアンブル生成部１０は、ＭＩＭＯ送信部３０により決定された、データを受信する受信側通信装置２が備えるアンテナの本数に基づいて、算出されたデータ送信時間に関する情報を含む通信制御信号（Ｂ）を作成することがより好ましい。これについて具体的に説明する。
【０１１８】
送信側通信装置１は、当該送信側通信装置１とデータ通信可能な受信側通信装置２を監視して、ＭＩＭＯシステムを用いてデータ通信を行う場合に使用できるアンテナの本数を判定している。そして、送信側通信装置１のプレアンブル生成部１０は、この判定結果に基づいて、データに付す通信制御信号（Ａ）および通信制御信号（Ｂ）を作成する。つまり、上記プレアンブル生成部１０は、データの送信先の受信側通信装置２のアンテナの本数を監視している判定結果に基づいて通信制御信号（Ａ）および通信制御信号（Ｂ）を作成している。これにより、送信側通信装置１は、正確なデータ送信終了時間に関する情報を、受信側通信装置２に通知することができる。
【０１１９】
また、ＭＩＭＯシステムは、複数のアンテナを用いてデータの伝送を行うことにより、データの伝送速度を従来よりも高速化している。そして、データ伝送に用いるアンテナの本数については、送信側通信装置１と受信側通信装置２とがそれぞれ備えるアンテナのうち、少ないアンテナの本数に依存する。例えば、送信側通信装置１が３本のアンテナを有しており、受信側通信装置２が２本のアンテナを有している場合、３本のアンテナを用いてデータ伝送を行うことはできず、２本のアンテナを用いてデータ伝送を行う。
【０１２０】
なお、上記実施の形態における送信側通信装置１および受信側通信装置２の各部や各処理ステップは、ＣＰＵなどの演算手段が、ＲＯＭ（Read Only Memory）やＲＡＭなどの記憶手段に記憶されたプログラムを実行し、インターフェース回路などの通信手段を制御することにより実現することができる。したがって、これらの手段を有するコンピュータが、上記プログラムを記録した記録媒体を読み取り、当該プログラムを実行するだけで、本実施形態の送信側通信装置１および受信側通信装置２の各種機能および各種処理を実現することができる。また、上記プログラムをリムーバブルな記録媒体に記録することにより、任意のコンピュータ上で上記の各種機能および各種処理を実現することができる。
【０１２１】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１２２】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１２３】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１２４】
また、インターネットを含む通信ネットワークを接続可能なシステム構成であれば、通信ネットワークからプログラムをダウンロードするように流動的にプログラムを担持する記録媒体であることが好ましい。
【０１２５】
さらに、このように通信ネットワークからプログラムをダウンロードする場合には、そのダウンロード用のプログラムは予め本体装置に格納しておくか、あるいは別な記録媒体からインストールされるものであることが好ましい。
【０１２６】
（実施例１）
実施例１に関して以下に説明する。実施例１では、全てのアンテナのＬＰが従来のＩＥＥＥ８０２．１１ａ／ｇと同じ長さ、伝送レートが従来のＩＥＥＥ８０２．１１ａ／ｇと同じあるいはＡＢＬの伝送レートである例について説明する。
【０１２７】
パケットの全体構成は図１１であり、本実施例１に関わる部分を図１７に示す。ＭＩＭＯ＿ＳＰ６０００は、図１３（ａ）、（ｂ）、（ｃ）のいずれであってもよい。具体的には、図１３（ａ）に示すように、従来のＩＥＥＥ８０２．１１ａ／ｇと同じである、ＭＩＭＯ＿ＳＰ６０００、ＬＰ５２１０およびシグナル５２２０に関するデータを、アンテナＴｘＡのみで送信してもよい。また、図１３（ｂ）に示すように、ＭＩＭＯ＿ＳＰ６０００、ＬＰ５２１０およびシグナル５２２０に関するデータを、アンテナＴｘＡのみで送信し、アンテナＴｘＢおよびアンテナＴｘＸでは、同期を取るためのＭＩＭＯ＿ＳＰ６０００を送信してもよい。なお、上記アンテナＴｘＡから送信するＭＩＭＯ＿ＳＰ６０００と、アンテナＴｘＢから送信するＭＩＭＯ＿ＳＰ６０００と、アンテナＴｘＸから送信するＭＩＭＯ＿ＳＰ６０００とは互いに直交している。そして、また、上記アンテナＴｘＡから送信するＭＩＭＯ＿ＳＰ６０００は、ＩＥＥＥ８０２．１１ａ／ｇのＳＰと同じである。また、図１３（ｃ）に示すように、ＭＩＭＯ＿ＳＰ６０００、ＬＰ５２１０およびシグナル５２２０に関するデータを、アンテナＴｘＡのみで送信し、さらに、上記ＴｘＡのシグナル５２２０を送信した直後のタイミングで、上記アンテナＴｘＡからＳＰ５２０２Ａを、アンテナＴｘＢからＳＰ５２０２Ｂを、アンテナＴｘＸからＳＰ５２０２Ｘをそれぞれ送信するようにしてもよい。なお、上記ＭＩＭＯ＿ＳＰ６０００は、ＩＥＥＥ８０２．１１ａ／ｇのＳＰと同じである。また、上記ＳＰ５２０２Ａ、ＳＰ５２０２ＢおよびＳＰ５２０２Ｘは互いに直交している。
【０１２８】
そして、ＬＰ５２１０は本実施例１ではＬＰ＿Ａと呼ぶ。ＭＩＭＯ＿プレアンブル／シグナル６０１０はアンテナＴｘＢとＴｘＣのＬＰ＿Ｂ１１００、ＬＰ＿Ｃ１１１０、と全てのアンテナのシグナルＡ１１２０、シグナルＢ１１３０、シグナルＣ１１３０から構成されるが、ＭＩＭＯ＿ＳＰ６０００が図１３（ｃ）に示す構成の場合には、ＬＰ＿Ｂ１１００の前にＳＰ＿（Ａ，Ｂ…Ｘ）５２０２が挿入される。また、本実施例では、全てのアンテナのシグナルＡ１１２０、シグナルＢ１１３０、シグナルＣ１１３０を同じタイミングで送信している。
【０１２９】
ＬＰ＿Ａ５２１０とシグナル５２２０は、従来のＩＥＥＥ８０２．１１ａ／ｇと同じであるが、シグナル５２２０の予約領域（Ｓ）は１である。予約領域（Ｓ）を１にすることにより、従来のＩＥＥＥ８０２．１１ａ／ｇとＭＩＭＯパケットとの区別がつく（従来のＩＥＥＥ８０２．１１ａ／ｇでは、予約領域（Ｓ）は０に設定されている）。
【０１３０】
ＬＰ＿Ａ５２１０、Ｂ１１００、Ｃ１１１０の長さは全て同じであり、ＬＰ＿Ａ５２１０、ＬＰ＿Ｂ１１００、ＬＰ＿Ｃ１１１０は全て同じまたは直交である。そして、上記ＬＰ＿Ａ５２１０、ＬＰ＿Ｂ１１００、ＬＰ＿Ｃ１１１０が全て同じの場合、同じ回路を共有できるため回路構成が簡単になる。
【０１３１】
本実施例１においてＬＰ＿Ａ５２１０は、ＭＩＭＯ＿プレアンブル／シグナル６０１０に含まれていないことにより、当該ＭＩＭＯ＿プレアンブル／シグナル６０１０を短くすることができる。
【０１３２】
シグナルＡ１１２０、Ｂ１１３０、Ｃ１１４０の伝送レートはシグナル５２２０で指定する伝送レートＲａｔｅ（Ｒ）である。
【０１３３】
ＴｘＡのアンテナで送信するＭＩＭＯ  シンボル６０２０の伝送レートはシグナルＡ１１２０で指定する。ＴｘＢのアンテナで送信するＭＩＭＯ  シンボル６０２０の伝送レートはシグナルＢ１１３０で指定する。ＴｘＣのアンテナで送信するＭＩＭＯ  シンボル６０２０の伝送レートはシグナルＣ１１４０で指定する。なお、シグナルＡ１１２０、シグナルＢ１１３０、シグナルＣ１１４０で指定する伝送レートは、従来のＩＥＥＥ８０２．１１ａ／ｇと同じ伝送レート、またはＡＢＬによって決定される。
【０１３４】
各アンテナで送信するＭＩＭＯ＿プレアンブル／シグナル６０１０とＭＩＭＯ  シンボル６０２０の通信時間は４μｓ×Ｃｅｉｌ（Ｌ／（Ｒ／２））である。Ｌはシグナル５２２０のデータ長（Ｌ）であり、Ｒはシグナル５２２０のＭｂｐｓ単位のレート（Ｒ）である。そして、シグナル５２２０は、ＭＩＭＯ  シンボル６０２０とＭＩＭＯ＿プレアンブル／シグナル６０１０とを合わせた合計データに基づいて作成されている。
【０１３５】
なお、本実施例１は、三つのアンテナの場合について説明しているが、アンテナの本数としては、２本であってもよく、またそれ以上であってもよい。
【０１３６】
（実施例２）
実施例２に関して以下に説明する。本実施例２では、ＭＩＭＯ＿プレアンブル／シグナル６０１０内のＬＰを、従来のＩＥＥＥ８０２．１１ａ／ｇと異ならせる、つまり、ＭＩＭＯに特化した形式を用いる例について説明する。伝送レートは従来のＩＥＥＥ８０２．１１ａ／ｇと同じ、または、ＡＢＬの伝送レートとなる。
【０１３７】
パケットの全体構成は図１１であり、本実施例２に関わる部分を図１８に示す。ＭＩＭＯ＿ＳＰ６０００は、図１３の（ａ）、（ｂ）、（ｃ）のいずれであってもよい。ＭＩＭＯ＿プレアンブル／シグナル６０１０はそれぞれのアンテナのＬＰ＿Ａ１２００、シグナルＡ１２１０、ＬＰ＿Ｂ１２２０、シグナルＢ１２３０、ＬＰ＿Ｃ１２４０、シグナルＣ１２５０から構成されるが、ＭＩＭＯ＿ＳＰ６０００が、図１３（ｃ）に示す構成の場合には、ＬＰ＿Ａ１２００前にＳＰ＿（Ａ，Ｂ…Ｘ）５２０２が挿入される。
【０１３８】
ＬＰ５２１０とシグナル５２２０は、従来のＩＥＥＥ８０２．１１ａ／ｇと同じであるが、シグナル５２２０の予約領域（Ｓ）は１である。予約領域（Ｓ）を１にすることにより、従来のＩＥＥＥ８０２．１１ａ／ｇとＭＩＭＯパケットとの区別がつく。
【０１３９】
また、ＬＰ＿Ａ１２００、Ｂ１２２０、Ｃ１２４０の長さは全て同じであり、ＬＰ＿Ａ１２００、ＬＰ＿Ｂ１２２０、ＬＰ＿Ｃ１２４０は全て同じあるいは直交である。ＬＰ＿Ａ１２００、ＬＰ＿Ｂ１２２０、ＬＰ＿Ｃ１２４０が全て同じの場合、同じ回路を共有できるため回路構成が簡単になる。
【０１４０】
シグナルＡ１２１０、Ｂ１２３０、Ｃ１２５０の伝送レートはシグナル５２２０で指定する伝送レートＲａｔｅ（Ｒ）である。
【０１４１】
ＴｘＡのアンテナで送信するＭＩＭＯ  シンボル６０２０の伝送レートはシグナルＡ１２１０で指定する。ＴｘＢのアンテナで送信するＭＩＭＯ  シンボル６０２０の伝送レートはシグナルＢ１２３０で指定する。ＴｘＣのアンテナで送信するＭＩＭＯ  シンボル６０２０の伝送レートはシグナルＣ１２５０で指定する。なお、シグナルＡ１２１０、シグナルＢ１２３０、シグナルＣ１２５０で指定する伝送レートは、従来のＩＥＥＥ８０２．１１ａ／ｇと同じ伝送レート、またはＡＢＬによって決定される。
【０１４２】
各アンテナで送信するＭＩＭＯ＿プレアンブル／シグナル６０１０とＭＩＭＯ  シンボル６０２０の通信時間は、４μｓ×Ｃｅｉｌ（Ｌ／（Ｒ／２））である。Ｌはシグナル５２２０のデータ長（Ｌ）であり、Ｒはシグナル５２２０のＭｂｐｓ単位のレート（Ｒ）である。そして、シグナル５２２０は、ＭＩＭＯ  シンボル６０２０とＭＩＭＯ＿プレアンブル／シグナル６０１０とを合わせた合計データに基づいて作成されている。
【０１４３】
なお、本実施例２は、三つのアンテナの場合について説明しているが、アンテナの本数としては、２本であってもよく、またそれ以上であってもよい。
【０１４４】
また、本実施例では、各シグナルＡ１１２０、シグナルＢ１１３０、シグナルＣ１１３０を、対応するＭＩＭＯ＿プレアンブルであるＬＰ＿Ａ１２００、ＬＰ＿Ｂ１２２０、ＬＰ＿Ｃ１２４０の送信直後にそれぞれ送信している。
（実施例３）
実施例３に関して以下に説明する。本実施例３では、ＭＩＭＯ＿プレアンブル／シグナル６０１０内のＬＰを、従来のＩＥＥＥ８０２．１１ａ／ｇと異ならせる、つまり、ＭＩＭＯに特化した形式を用いる例について説明する。伝送レートは従来のＩＥＥＥ８０２．１１ａ／ｇと同じ、または、ＡＢＬの伝送レートとなる。本実施例３の構成とすることにより、ＭＩＭＯ＿プレアンブル／シグナル６０１０内の全てのアンテナのシグナル部を同時に伝送することにより、ＭＩＭＯ＿プレアンブル／シグナル６０１０の長さを短くすることができる。
【０１４５】
パケットの全体構成は図１１であり、本実施例３に関わる部分を図１９に示す。ＭＩＭＯ＿ＳＰ６０００は、図１３（ａ）、（ｂ）、（ｃ）のいずれであってもよい。ＭＩＭＯ＿プレアンブル／シグナル６０１０は、それぞれのアンテナのＬＰ＿Ａ１３００、シグナルＡ１３３０、ＬＰ＿Ｂ１３１０、シグナルＢ１３４０、ＬＰ＿Ｃ１３２０、シグナルＣ１３５０から構成されるが、ＭＩＭＯ＿ＳＰ６０００が例えば、図１３（ｃ）に示す構成の場合には、ＬＰ＿Ａ１３００の前にＳＰ＿（Ａ，Ｂ…Ｘ）５２０２が挿入される。
【０１４６】
そして、ＬＰ５２１０とシグナル５２２０は、従来のＩＥＥＥ８０２．１１ａ／ｇと同じであるが、シグナル５２２０の予約領域（Ｓ）は１である。予約領域（Ｓ）を１にすることにより、従来のＩＥＥＥ８０２．１１ａ／ｇとＭＩＭＯパケットとの区別がつく。
【０１４７】
ＬＰ＿Ａ１３００、Ｂ１３１０、Ｃ１３２０の長さは全て同じであり、ＬＰ＿Ａ１３００、ＬＰ＿Ｂ１３１０、ＬＰ＿Ｃ１３２０は全て同じまたは直交である。ＬＰ＿Ａ１３００、ＬＰ＿Ｂ１３１０、ＬＰ＿Ｃ１３２０が全て同じの場合、同じ回路を共有できるため回路構成が簡単になる。
【０１４８】
そして、シグナルＡ１３３０、Ｂ１３４０、Ｃ１３５０の伝送レートはシグナル５２２０で指定する伝送レートＲａｔｅ（Ｒ）である。
【０１４９】
アンテナＴｘＡで送信するＭＩＭＯ  シンボル６０２０の伝送レートはシグナルＡ１３３０で指定する。アンテナＴｘＢで送信するＭＩＭＯ  シンボル６０２０の伝送レートはシグナルＢ１３４０で指定する。アンテナＴｘＣで送信するＭＩＭＯ  シンボル６０２０の伝送レートはシグナルＣ１３５０で指定する。なお、シグナルＡ１３３０、Ｂ１３４０、Ｃ１３５０で指定する伝送レートは、従来のＩＥＥＥ８０２．１１ａ／ｇと同じ伝送レート、またはＡＢＬによって決定される。
【０１５０】
各アンテナで送信するＭＩＭＯ＿プレアンブル／シグナル６０１０とＭＩＭＯ  シンボル６０２０の通信時間は４μｓ×Ｃｅｉｌ（Ｌ／（Ｒ／２））である。Ｌはシグナル５２２０のデータ長（Ｌ）であり、Ｒはシグナル５２２０のＭｂｐｓ単位のレート（Ｒ）である。そして、シグナル５２２０は、ＭＩＭＯ  シンボル６０２０とＭＩＭＯ＿プレアンブル／シグナル６０１０とを合わせた合計データに基づいて作成されている。
【０１５１】
なお、本実施例３は、三つのアンテナの場合について説明しているが、アンテナの本数としては、２本であってもよく、またそれ以上であってもよい。また、本実施例では、全てのアンテナのシグナルＡ１１２０、シグナルＢ１１３０、シグナルＣ１１３０を同じタイミングで送信している。
（実施例４）
実施例４に関して以下に説明する。ＭＩＭＯ＿プレアンブル／シグナル６０１０内のＬＰを、従来のＩＥＥＥ８０２．１１ａ／ｇと異ならせる、つまり、ＭＩＭＯに特化した形式を用いる例について説明する。伝送レートは従来のＩＥＥＥ８０２．１１ａ／ｇと同じ、または、ＡＢＬの伝送レートとなる。そして、本実施例４の構成とすることにより、ＭＩＭＯ＿プレアンブル／シグナル６０１０内の全てのアンテナのＬＰを同時に伝送することができるので、ＭＩＭＯ＿プレアンブル／シグナル６０１０の送信時間を短くすることができる。伝送レートは従来のＩＥＥＥ８０２．１１ａ／ｇと同じまたはＡＢＬの伝送レートとなる。そして、ＭＩＭＯ＿プレアンブル／シグナル６０１０内の全てのアンテナのシグナル部を同時に伝送することにより、ＭＩＭＯ＿プレアンブル／シグナル６０１０の長さを短くすることができる。
【０１５２】
パケットの全体構成は図１１であり、本実施例４に関わる部分を図２０に示す。ＭＩＭＯ＿ＳＰ６０００は、図１３（ａ）、（ｂ）、（ｃ）のいずれであってもよい。ＭＩＭＯ＿プレアンブル／シグナル６０１０は、それぞれのアンテナのＬＰ＿Ａ１４００、シグナルＡ１４１０、ＬＰ＿Ｂ１４２０、シグナルＢ１４３０、ＬＰ＿Ｃ１４４０、シグナルＣ１４５０から構成されるが、ＭＩＭＯ＿ＳＰ６０００が例えば、図１３（ｃ）に示す構成の場合には、ＬＰ＿Ａ１４００の前にＳＰ＿（Ａ，Ｂ…Ｘ）５２０２が挿入される。
【０１５３】
ＬＰ５２１０とシグナル５２２０は、従来のＩＥＥＥ８０２．１１ａ／ｇと同じであるが、シグナル５２２０の予約領域（Ｓ）は１である。予約領域（Ｓ）を１にすることにより、従来のＩＥＥＥ８０２．１１ａ／ｇとＭＩＭＯパケットとの区別がつく。
【０１５４】
ＬＰ＿Ａ１４００、Ｂ１４２０、Ｃ１４４０の長さは全て同じであり、ＬＰ＿Ａ１４００、Ｂ１４２０、Ｃ１４４０は全て同じまたは直交である。そして、ＬＰ＿Ａ１４００、Ｂ１４２０、Ｃ１４４０を同時に伝送することにより、ＭＩＭＯ＿プレアンブル／シグナル６０１０の送信時間を短くすることができる。
【０１５５】
シグナルＡ１４１０、Ｂ１４３０、Ｃ１４５０の伝送レートはシグナル５２２０で指定する伝送レートＲａｔｅ（Ｒ）である。
【０１５６】
アンテナＴｘＡで送信するＭＩＭＯ  シンボル６０２０の伝送レートはシグナルＡ１４１０で指定する。アンテナＴｘＢで送信するＭＩＭＯ  シンボル６０２０の伝送レートはシグナルＢ１４３０で指定する。アンテナＴｘＣで送信するＭＩＭＯ  シンボル６０２０の伝送レートはシグナルＣ１４５０で指定する。なお、シグナルＡ１４１０、Ｂ１４３０、Ｃ１４５０で指定する伝送レートは、従来のＩＥＥＥ８０２．１１ａ／ｇと同じ伝送レート、またはＡＢＬによって決定される。
【０１５７】
各アンテナで送信するＭＩＭＯ＿プレアンブル／シグナル６０１０とＭＩＭＯ  シンボル６０２０の通信時間は４μｓ×Ｃｅｉｌ（Ｌ／（Ｒ／２））である。Ｌはシグナル５２２０のデータ長（Ｌ）であり、Ｒはシグナル５２２０のＭｂｐｓ単位のレート（Ｒ）である。そして、シグナル５２２０は、ＭＩＭＯ  シンボル６０２０とＭＩＭＯ＿プレアンブル／シグナル６０１０とを合わせた合計データに基づいて作成されている。
【０１５８】
なお、本実施例４は、三つのアンテナの場合について説明しているが、アンテナの本数としては、２本であってもよく、またそれ以上であってもよい。
【０１５９】
また、本実施例では、各シグナルＡ１１２０、シグナルＢ１１３０、シグナルＣ１１３０およびＭＩＭＯ＿プレアンブルであるＬＰ＿Ａ１２００、ＬＰ＿Ｂ１２２０、ＬＰ＿Ｃ１２４０を、それぞれ、同じタイミングで送信している。
【産業上の利用可能性】
【０１６０】
本発明に係る通信装置は、例えば、動画データなどのストリームデータや、その他のデータを外部の装置に対して送信することが可能な送信装置に用いられる通信装置に適用することが可能である。具体的には、例えばＤＶＤプレイヤー、ＤＶＤレコーダ、ＨＤＤレコーダなどのデジタル符号として記録された動画の再生機能を持つ送信装置等が挙げられる。
【図面の簡単な説明】
【０１６１】
【図１】本実施の形態にかかる送信側通信装置の概略構成を示す機能ブロック図である。
【図２】一つのＡＰと複数のＳＴＡからなる無線ＬＡＮシステムの概略構成を示す図面である。
【図３】ＩＥＥＥ８０２．１１ｅの無線ＬＡＮシステムの概略構成を示す図面である。
【図４】無線ＬＡＮシステムにおけるＣＣＡを説明する図面である。
【図５】送信機と受信機との間に何らかの障害物が突然入った場合を説明する図面である。
【図６】パケットの送信にかかる時間（伝送時間）の計算を説明するデータ構造である。
【図７】（ａ）は、従来のシングルリンクによる伝送形態を示しており、（ｂ）は、送信機側と受信側とで変化する周波数スペクトルを説明する図面である。
【図８】送信アンテナ数および受信アンテナ数を２つにしたＭＩＭＯにおいて、一つの信号ＢＡを送受信した場合における受信機と送信機との概略構成を示すブロック図である。
【図９】本実施の形態にかかる通信システムの概略構成を示しているブロック図である。
【図１０】ＭＩＭＯの概略構成を示すブロック図である。
【図１１】送信側通信装置で作成される送信データの構成を示すデータ構造である。
【図１２】受信側通信装置の概略構成を示す機能ブロック図である。
【図１３】プレアンブルの構成を説明するデータ構造である。
【図１４】無線通信でデータ通信を行う際に、変調されたデータの送信前と送信後との違いを説明する図面である。
【図１５】ＡＢＬを説明する図面である。
【図１６】ＯＦＤＭを説明する図面である。
【図１７】実施例１における送信側通信装置で作成される送信データの構成を示すデータ構造である。
【図１８】実施例２における送信側通信装置で作成される送信データの構成を示すデータ構造である。
【図１９】実施例３における送信側通信装置で作成される送信データの構成を示すデータ構造である。
【図２０】実施例４における送信側通信装置で作成される送信データの構成を示すデータ構造である。
【図２１】従来の構成を示すデータ構造である。
【符号の説明】
【０１６２】
１    送信側通信装置（通信装置）
２    受信側通信装置（通信装置、受信機）
３  送信装置
４  受信装置
１０  プレアンブル生成部
１１  ＭＩＭＯプレアンブル生成部
１２  ＩＥＥＥプレアンブル生成部（付加手段）
１３  設定部（設定手段）
１４  割当部（割当部）
２０  送信パケット処理部
２５  インターフェース
３０  ＭＩＭＯ送信部（送信手段）
４０  送信アンテナ
５０  制御部
６０  受信パケット処理部
６５  インターフェース
７０  ＭＩＭＯ受信部
８０  受信アンテナ
５３００ａ・５３００ｂ  変調部
５３１０ａ・５３１０ｂ  復調部
【図１】
2005333589.tif 000003
【図２】
2005333589.tif 000004
【図３】
2005333589.tif 000005
【図４】
2005333589.tif 000006
【図５】
2005333589.tif 000007
【図６】
2005333589.tif 000008
【図７】
2005333589.tif 000009
【図８】
2005333589.tif 000010
【図９】
2005333589.tif 000011
【図１０】
2005333589.tif 000012
【図１１】
2005333589.tif 000013
【図１２】
2005333589.tif 000014
【図１３】
2005333589.tif 000015
【図１４】
2005333589.tif 000016
【図１５】
2005333589.tif 000017
【図１６】
2005333589.tif 000018
【図１７】
2005333589.tif 000019
【図１８】
2005333589.tif 000020
【図１９】
2005333589.tif 000021
【図２０】
2005333589.tif 000022
【図２１】
2005333589.tif 000023